(57)【要約】【課題】傾斜型枠の水平方向バタ材だけでなく、傾斜法面などから突設させたシーボルトなどにの簡単容易に取り付けることができる足場板支持装置を提供する。【解決手段】主杆１、この主杆１の上端部に取り付けられ且つ傾斜型枠６の水平方向バタ材８に係合可能なフック部材２、前記主杆１の下端部に軸支された補助杆３、前記主杆１の上端部に内端部が軸支された足場板支持杆４、及びこの足場板支持杆４の外端部を前記補助杆３に対しその長さ方向に結合位置変更可能に結合する結合手段５から成る足場板支持装置であって、前記フック部材２は、前記主杆１の上端部に回転可能に軸支されると共にその先端にシーボルト９の貫通孔部１２が設けられた構成。【選択図】図１
2006316581.tif 000002
【特許請求の範囲】
【請求項１】
主杆、この主杆の上端部に取り付けられ且つ傾斜型枠の水平方向バタ材に係合可能なフック部材、前記主杆の下端部に軸支された補助杆、前記主杆の上端部に内端部が軸支された足場板支持杆、及びこの足場板支持杆の外端部を前記補助杆に対しその長さ方向に結合位置変更可能に結合する結合手段から成る足場板支持装置であって、前記フック部材は、前記主杆の上端部に回転可能に軸支されると共にその先端にシーボルトの貫通孔部が設けられ、このフック部材を傾斜型枠の水平方向バタ材に上から係合させることができる斜め下向き姿勢からほぼ１８０度回転させた上向き姿勢に変更することにより、傾斜面から突出するシーボルトに前記貫通孔部を嵌合させることができるように構成された、足場板支持装置。
【請求項２】
前記フック部材は、並列する２枚のコ字形板がその両脚部の先端で繋がった構造のもので、当該２枚のコ字形板の両脚部の先端の内側が前記シーボルトの貫通孔部となっている、請求項１に記載の足場板支持装置。
【請求項３】
前記主杆、フック部材、及び足場板支持杆が１本の共通支軸で互いに軸支されている、請求項１または２に記載の足場板支持装置。
【請求項４】
前記フック部材は、並列する２枚のコ字形板がその両脚部の先端で繋がった構造のもので、当該２枚のコ字形板の内外両脚部の先端の内側が前記シーボルトの貫通孔部となり、このフック部材の一方の脚部間に前記足場板支持杆の内端部が嵌合すると共に、当該フック部材の一方の脚部を外側から挟む２枚の帯状板で前記主杆が構成され、この主杆、フック部材、及び足場板支持杆がその互いに重なる部分で１本の共通支軸により互いに軸支され、前記フック部材が傾斜型枠の水平方向バタ材に上から係合させることができる斜め下向き姿勢にあるとき、当該フック部材の他方の脚部と主杆との間にバタ材嵌合空間が形成されるように構成された、請求項１に記載の足場板支持装置。
【請求項５】
前記補助杆は、その下端部が前記主杆の２枚の帯状板間に嵌合した状態で当該主杆に軸支され、この補助杆と足場板支持杆との結合を解いた状態で当該補助杆、主杆、及び足場板支持杆をジグザグ状に折り畳んだとき、前記フック部材の２枚のコ字形板間に前記補助杆を嵌合させることができるように構成された、請求項４に記載の足場板支持装置。
【請求項６】
前記結合手段は、足場板支持杆の外端部に固着され且つ前記補助杆に外嵌可能なコ形部材、前記補助杆にその長さ方向適当間隔おきに設けられた貫通孔、前記コ形部材と１つの貫通孔とにわたって挿脱自在で先端に抜け止め用軸支片を備えた係止ピンとから構成されている、請求項１〜５の何れか１項に記載の足場板支持装置。
【請求項７】
前記足場板支持杆の外端部には当該足場板支持杆に対して直角上向きに突出する手摺り支柱支持管が固着され、この手摺り支柱支持管の下端に前記結合手段のコ形部材が固着されている、請求項６に記載の足場板支持装置。
【発明の詳細な説明】
【技術分野】
【０００１】
本発明は、傾斜型枠などに仮設足場を構築する際に使用される足場板支持装置に関するものである。
【背景技術】
【０００２】
この種の足場板支持装置は、主杆、この主杆の上端部に取り付けられ且つ傾斜型枠の水平方向バタ材に係合可能なフック部材、前記主杆の下端部に軸支された補助杆、前記主杆の上端部に内端部が軸支された足場板支持杆、及びこの足場板支持杆の外端部を前記補助杆に対しその長さ方向に結合位置変更可能に結合する結合手段から成るもので、特許文献１などにより従来周知であって、土留め壁などの傾斜法面を築造するために設けられた傾斜型枠（コンクリート型枠）の外側に仮設足場を構築する際に使用される。即ち、傾斜型枠を構成する水平方向バタ材に対してフック部材を上から係合させて主杆を当該傾斜型枠に沿って上下向きに配置し、足場板支持杆が水平になるように結合手段で当該足場板支持杆の外端部と補助杆とを結合し、足場板支持杆の上に足場板を載置するものである。
【特許文献１】特開平１１−９３４００号公報
【発明の開示】
【発明が解決しようとする課題】
【０００３】
而して、特許文献１には開示されていないが、上記のような足場板支持装置は、傾斜型枠が解体された後の作業、例えば土留め壁など傾斜法面に対する作業や、完成した傾斜法面の上側に連なる傾斜法面などを構築するためのコンクリート型枠の組立作業のための仮設足場を構築する際に使用しようとしても、前記フック部材を係合させることができる水平方向のバタ材が存在しないために使用することができない。
【課題を解決するための手段】
【０００４】
本発明は上記のような従来の問題点を解消し得る足場板支持装置を提供することを目的とするものであって、その手段を後述する実施形態の参照符号を付して示すと、主杆１、この主杆１の上端部に取り付けられ且つ傾斜型枠６の水平方向バタ材８に係合可能なフック部材２、前記主杆１の下端部に軸支された補助杆３、前記主杆１の上端部に内端部が軸支された足場板支持杆４、及びこの足場板支持杆４の外端部を前記補助杆３に対しその長さ方向に結合位置変更可能に結合する結合手段５から成る足場板支持装置であって、前記フック部材２は、前記主杆１の上端部に回転可能に軸支されると共にその先端にシーボルト９の貫通孔部１２が設けられ、このフック部材２を傾斜型枠６の水平方向バタ材８に上から係合させることができる斜め下向き姿勢からほぼ１８０度回転させた上向き姿勢に変更することにより、傾斜面から突出するシーボルト９に前記貫通孔部１２を嵌合させることができるように構成されている。
【０００５】
上記構成の本発明を実施するについて、具体的には請求項２に記載のように、前記フック部材２は、並列する２枚のコ字形板２ａ，２ｂがその両脚部１１ａ，１１ｂの先端で繋がった構造として、当該２枚のコ字形板２ａ，２ｂの両脚部１１ａ，１１ｂの先端の内側を前記シーボルト９の貫通孔部１２とすることができる。また、請求項３に記載のように、前記主杆１、フック部材２、及び足場板支持杆４を１本の共通支軸２０で互いに軸支させることができる。
【０００６】
また、前記フック部材２を請求項２に記載のように構成するときは、当該フック部材２の一方の脚部１１ａ間に前記足場板支持杆４の内端部を嵌合させると共に、当該フック部材２の一方の脚部１１ａを外側から挟む２枚の帯状板１ａ，１ｂで前記主杆１を構成し、この主杆１、フック部材２、及び足場板支持杆４をその互いに重なる部分で１本の共通支軸２０により互いに軸支し、前記フック部材２が傾斜型枠６の水平方向バタ材８に上から係合させることができる斜め下向き姿勢にあるとき、当該フック部材２の他方の脚部１１ｂと主杆１との間にバタ材嵌合空間が形成されるように構成することができる。
【０００７】
この場合、請求項５に記載のように、前記補助杆３は、その下端部が前記主杆１の２枚の帯状板１ａ，１ｂ間に嵌合した状態で当該主杆１に軸支し、この補助杆３と足場板支持杆４との結合を解いた状態で当該補助杆３、主杆１、及び足場板支持杆４をジグザグ状に折り畳んだとき、前記フック部材２の２枚のコ字形板２ａ，２ｂ間に前記補助杆３を嵌合させることができるように構成することができる。
【０００８】
前記結合手段５は、請求項６に記載のように、足場板支持杆４の外端部に固着され且つ前記補助杆３に外嵌可能なコ形部材１７、前記補助杆３にその長さ方向適当間隔おきに設けられた貫通孔１３、前記コ形部材１７と１つの貫通孔１３とにわたって挿脱自在で先端に抜け止め用軸支片１９を備えた係止ピン１８とから構成することができる。この場合、請求項７に記載のように、前記足場板支持杆４の外端部に当該足場板支持杆４に対して直角上向きに突出する手摺り支柱支持管１４を固着し、この手摺り支柱支持管１４の下端に前記結合手段５のコ形部材１７を固着することができる。
【発明の効果】
【０００９】
上記構成の本発明に係る足場板支持装置によれば、従来のこの種の足場板支持装置と同様に、傾斜型枠の外側に仮設足場を組み立てるときには、フック部材を斜め下向き姿勢にした状態で傾斜型枠の水平方向バタ材に上から係合させて主杆を当該傾斜型枠に沿って上下向きに配置し、足場板支持杆が水平になるように結合手段で当該足場板支持杆の外端部と補助杆とを結合し、足場板支持杆の上に足場板を載置することができる。そして傾斜型枠が解体除去された後の傾斜法面の外側に仮設足場を組み立てるときは、フック部材を前記斜め下向き姿勢からほぼ１８０度回転させ、傾斜法面にアンカーを介して取り付けられたシーボルトに前記フック部材の貫通孔部を嵌合させることにより、この足場板支持装置の主杆を上下向きで傾斜法面の所定高さに取り付けることができるので、後は傾斜型枠の外側でこの足場板支持装置を使用するときと同様に、足場板支持杆が水平になるように結合手段で当該足場板支持杆の外端部と補助杆とを結合し、足場板支持杆の上に足場板を載置すれば良い。
【００１０】
上記のように本発明の足場板支持装置は、傾斜型枠の水平方向バタ材を利用して当該傾斜型枠の外側に仮設足場を組み立てるときは勿論のこと、傾斜型枠が解体除去された後の傾斜法面の外側に仮設足場を組み立てるときにも、単に傾斜法面から突出するシーボルトを所定位置に配設しておきさえすれば、他の補助部材を併用することなく、当該傾斜法面上に簡単容易に取り付けて足場板を支持させることができる。
【００１１】
尚、本発明を実施するに際し、請求項２に記載の構成によれば、フック部材自体の強度を高めることができると同時に、シーボルトの貫通孔部を他の筒状部材などを併用することなく構成することができ、結果的にコストダウンを図ることができる。また、請求項３に記載の構成によれば、主杆に対してフック部材と足場板支持杆とを各別に軸支する場合と比較して、部品点数を少なくしてコストダウンを図ることができる。
【００１２】
また、請求項４に記載の構成によれば、フック部材と足場板支持杆とが主杆の側部に軸支される場合と比較して、これらフック部材と足場板支持杆の支持強度を高めることができると共に、装置全体の横巾（厚さ）を小さくしてコンパクトで取り扱いに便利な足場板支持装置として実施することができる。この場合、請求項５に記載の構成によれば、補助杆と足場板支持杆との結合を解いた状態で当該補助杆、主杆、及び足場板支持杆をジグザグ状に折り畳むことができるのであるが、このときの装置全体の嵩を低くすることができ、使用しないときの運搬や格納に便利な装置として活用できる。
【００１３】
更に、請求項６に記載の構成によれば、足場板支持杆の外端部と補助杆とを結合する結合手段を簡単な構成で実施することができるのであるが、この場合、請求項７に記載の構成によれば、結合手段のコ形部材を丸パイプ材などから構成される足場板支持杆の外端部下側に取り付ける際に必要な取付座を手摺り支柱支持管で兼用させることができ、結合手段のコ形部材を丸パイプ材などから構成される足場板支持杆に直接溶接などで取り付ける場合と比較して、当該コ形部材の取り付けが簡単容易になるばかりでなく、その取り付け強度も高めることができる。
【発明を実施するための最良の形態】
【００１４】
以下に本発明の具体的実施例を添付図に基づいて説明すると、図１において、１は主杆、２はフック部材、３は補助杆、４は足場板支持杆、５は結合手段である。図１Ａにおいて、６は傾斜法面を築造するための傾斜型枠であって、型枠本体７とその外側に水平方向に配設されたバタ材８から構成されている。バタ材８としては角鋼管や丸鋼管などが使用されるが、図では角鋼管からなるバタ材８を示している。図１Ｂにおいて、９はシーボルトであって、傾斜型枠７が解体除去された後の傾斜法面１０の所定位置に、当該傾斜法面１０に埋設されたアンカーなどを介して取り付けられる。
【００１５】
図２〜図５に示すように、主杆１は、２本の並列する帯状板１ａ，１ｂから構成されている。フック部材２は、並列する２枚のコ字形板２ａ，２ｂがその両脚部１１ａ，１１ｂの先端で繋がった構造のもの、即ち、１枚の金属板から２枚のコ字形板２ａ，２ｂがその両脚部１１ａ，１１ｂの先端で繋がった形状のものを打ち抜き、これを両脚部１１ａ，１１ｂの先端位置で折り返して構成したものであって、当該２枚のコ字形板２ａ，２ｂの両脚部１１ａ，１１ｂの先端の内側をシーボルト用貫通孔部１２としたものである。補助杆３と足場板支持杆４とは同一直径の丸パイプ材からなるものであり、補助杆３には、その上端から長さ方向の中間位置辺りまでの領域において等間隔おきに貫通孔１３が設けられている。
【００１６】
足場板支持杆４には、その外端に、直角上向きに突出する手摺り支柱支持管１４が溶接により固着され、この手摺り支柱支持管１４には、図１に示すように、差し込まれた手摺り支柱１５を固定する手摺り支柱固定ボルト１６が設けられている。そしてこの手摺り支柱支持管１４の下端には、前記補助杆３に上から嵌合させることができるコ形部材１７が、当該手摺り支柱支持管１４の下端を閉じる状態に溶接により固着され、当該コ形部材１７とその内側に嵌合する補助杆３の貫通孔１３とにわたって挿通される係止ピン１８とで、補助杆３と足場板支持杆４とを結合する結合手段５が構成されている。尚、係止ピン１８は、頭部がＬ形に曲げられたピンの先端に、当該ピンを延長する向きから自重により直角下向きに垂下可能に軸支された抜け止め用軸支片１９を備えている。
【００１７】
フック部材２は、並列する２枚のコ字形板２ａ，２ｂ間の間隔が補助杆３や足場板支持杆４の外径より若干大きくなるように構成すると共に、その両脚部１１ａ，１１ｂの内の一方の脚部１１ａの巾を主杆１の巾（帯状板１ａ，１ｂの横巾）より若干広く、そして他方の脚部１１ｂの巾を主杆１の巾より狭く形成し、更に両脚部１１ａ，１１ｂの各々は、その先端部を先端ほど間隔が狭まるように形成して、シーボルト用貫通孔部１２となる先端内側の内径がシーボルト９の外径より若干大きくなるように構成したものである。
【００１８】
上記構成のフック部材２の巾広側脚部１１ａの基部間に足場板支持杆４の内端を嵌合させ、主杆１を構成する２枚の帯状板１ａ，１ｂの上端をフック部材２の巾広側脚部１１ａの外側に重ねて、この主杆１、フック部材２、及び足場板支持杆４の３者をその重なり部で１本の共通支軸（ボルトナット）２０により互いに軸支している。そして、主杆１を構成する２枚の帯状板１ａ，１ｂの下端部間に補助杆３の下端部を貫通孔１３が水平向きとなるように嵌合させて、この主杆１と補助杆３とを、前記支軸２０と平行な向きの支軸（ボルトナット）２１により互いに軸支している。従って、主杆１を構成する２枚の帯状板１ａ，１ｂは上端側より下端側が間隔が狭くなるように若干傾斜することになる。このとき、補助杆３のは、支軸２０，２１と平行な向きになっている。
【００１９】
図１Ａに示すように傾斜型枠６に上記構成の足場板支持装置を取り付けるときは、フック部材２を斜め下向き姿勢にした状態でバタ材８に上から被せて、その両脚部１１ａ，１１ｂ間に当該バタ材８を嵌合させ、主杆１を上下向きで傾斜型枠６の外側に当接配置させる。この状態で足場板支持杆４がほぼ水平になるように、結合手段５のコ形部材１７を補助杆３の貫通孔１３の１つに合わせて当該補助杆３に上から嵌合させ、貫通孔１３の１つとコ形部材１７とにわたって係止ピン１８を抜け止め用軸支片１９と共に挿通させ、抜け止め用軸支片１９を垂下姿勢に切り換えて、コ形部材１７と補助杆３とを結合する。このようにして傾斜型枠６の外側に同一レベルで足場板支持装置を複数配列させ、隣り合う足場板支持装置のほぼ水平状態の足場板支持杆４間で足場板２２を支持させれば良い。
【００２０】
図１Ｂに示すように傾斜型枠６が解体除去された後の傾斜法面１０上に直接上記構成の足場板支持装置を取り付けるときは、フック部材２をほぼ１８０度回転させて斜め上向きにした状態で、傾斜法面１０からアンカーを介して突設させたシーボルト９にフック部材２の両脚部１１ａ，１１ｂの先端内側のシーボルト用貫通孔部１２を外嵌挿通させ、必要に応じてフック部材２から突出するシーボルト９に座金を介してナット９ａを螺嵌締結することにより、主杆１を上下向きで傾斜法面１０の外側に当接配置させる。この後は、傾斜型枠６の外側で足場板支持装置を使用する場合と同様の手順で作業し、足場板２２を隣り合う足場板支持装置のほぼ水平状態の足場板支持杆４間で足場板２２を支持させれば良い。
【００２１】
何れの場合も、各足場板支持装置の手摺り支柱支持管１４には手摺り支柱１５を差し込んで手摺り支柱固定ボルト１６により固定し、各手摺り支柱１５間に手摺り部材２３を架設することにより、足場板２２上を安全に歩行できる仮設足場を完成させることができる。
【００２２】
上記構成の足場板支持装置は、使用しないときに折り畳むことができる。即ち、図６に示すように、結合手段５の係止ピン１８を抜いてコ形部材１７を補助杆３から切り離し、補助杆３、主杆１、及び足場板支持杆４をジグザグ状に折り畳むことができる。このとき、フック部材２の両脚部１１ａ，１１ｂが足場板支持杆４から上向きに突出するように回転させ、足場板支持杆４から下方に突出するフック部材２の２枚のコ字形板２ａ，２ｂ間に補助杆３を嵌合させることにより、折り畳まれた装置全体の嵩を低くすることができる。
【００２３】
尚、フック部材２自体の構造や主杆１に対する当該フック部材２の取り付け構造、結合手段５の構造は、上記実施形態のもの限定されない。例えば、１枚の厚板から成るフック部材を主杆１の外側に軸支し、当該フック部材の先端部一側面にシーボルト用貫通孔部を構成する筒状部材を溶接などで固着することもできる。また、主杆１のフック部材が軸支された側とは反対側に足場板支持杆４の内端部を軸支することができる。勿論、主杆１とフック部材とを軸支する支軸とは別に主杆１に足場板支持杆４を軸支する支軸を設けても良い。また、係止ピン１８と足場板支持杆４側の適当箇所（手摺り支柱支持管１４やコ形部材１７を含む）とをチエンなどで繋いでおくこともできる。
【図面の簡単な説明】
【００２４】
【図１】Ａ図は傾斜型枠に足場板支持装置を取り付けた状態を示す側面図、Ｂ図は型枠が解体除去された後の傾斜法面に足場板支持装置を取り付けた状態を示す側面図である。
【図２】足場板支持装置の縦断側面図である。
【図３】Ａ図は図２の足場板支持装置の左側面図、Ｂ図は同右側面図である。
【図４】図２のＸ−Ｘ線拡大断面図である。
【図５】図２のＹ−Ｙ線拡大断面図である。
【図６】足場板支持装置を折り畳んだ状態の側面図である。
【符号の説明】
【００２５】
１    主杆
１ａ，１ｂ    帯状板
２    フック部材
２ａ，２ｂ    コ字形板
３    補助杆
４    足場板支持杆
５    結合手段
６    傾斜型枠
７    型枠本体
８    水平方向バタ材
９    シーボルト
１０    傾斜法面
１１ａ，１１ｂ    フック部材の両脚部
１２    シーボルト用貫通孔部
１３    貫通孔（結合手段）
１４    手摺り支柱支持管
１５    手摺り支柱
１６    手摺り支柱固定ボルト
１７    コ形部材（結合手段）
１８    係止ピン（結合手段）
１９    抜け止め用軸支片（結合手段）
２０，２１    支軸（ボルトナット）
２２    手摺り部材
【図１】
2006316581.tif 000003
【図２】
2006316581.tif 000004
【図３】
2006316581.tif 000005
【図４】
2006316581.tif 000006
【図５】
2006316581.tif 000007
【図６】
2006316581.tif 000008